【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
印刷装置であって、
電源スイッチと、
揮発性の記憶手段と、
前記電源スイッチが操作されたことに基づいて、前記印刷装置が保持する印刷ジョブを終了する制御手段と、
前記制御手段によって前記印刷ジョブが終了された後に、前記印刷装置を、前記記憶手段に電力が供給されるが前記制御手段には電力が供給されない第１の電力状態に移行させる電力制御手段と、
を有することを特徴とする印刷装置。
【請求項２】
前記制御手段は、前記電源スイッチが操作されたことに基づいて、前記印刷装置が保持する実行中の印刷ジョブを終了する、ことを特徴とする請求項１に記載の印刷装置。
【請求項３】
前記制御手段は、前記電源スイッチが操作されたことに基づいて、前記印刷装置が保持する待機中の印刷ジョブを終了する、ことを特徴とする請求項１に記載の印刷装置。
【請求項４】
前記揮発性の記憶手段は、前記制御手段が実行するプログラムを記憶する、ことを特徴とする請求項１乃至３の何れか１項に記載の印刷装置。
【請求項５】
前記第１の電力状態は、サスペンド状態である、ことを特徴とする請求項１乃至４の何れか１項に記載の印刷装置。
【請求項６】
前記電力制御手段は、第１所定時間内に前記印刷ジョブが終了しない場合、前記印刷装置を前記記憶手段に電力が供給されない第２の電力状態に移行する、ことを特徴とする請求項１乃至５の何れか１項に記載の印刷装置。
【請求項７】
前記第２の電力状態は、前記記憶手段、前記制御手段及び前記電力制御手段への電力供給を停止するオフ状態である、ことを特徴とする請求項６に記載の印刷装置。
【請求項８】
前記制御手段は、前記第２の電力状態に移行する前に、前記印刷装置のシャットダウン処理を行う、ことを特徴とする請求項６又は７に記載の印刷装置。
【請求項９】
前記制御手段は、前記第１の電力状態に移行する前に、前記記憶手段に前記印刷装置の状態を示す情報を記憶する、ことを特徴とする請求項１乃至８の何れか１項に記載の印刷装置。
【請求項１０】
前記制御手段は、前記第１の電力状態で前記電源スイッチが操作されたことに基づいて、前記記憶手段に記憶された情報を使って、レジューム処理を実行する、ことを特徴とする請求項１乃至９の何れか１項に記載の印刷装置。
【請求項１１】
前記制御手段は、前記第２の電力状態で前記電源スイッチが操作されたことに基づいて、ブート処理を実行する、ことを特徴とする請求項６乃至８の何れか１項に記載の印刷装置。
【請求項１２】
前記ブート処理を実行する前に、少なくとも前記記憶手段をリセットするリセット手段をさらに備える、ことを特徴とする請求項１１に記載の印刷装置。
【請求項１３】
前記制御手段は、前記電源スイッチが操作されたことに基づいて、新規のジョブの受け付けを停止する、ことを特徴とする請求項１乃至１２の何れか１項に記載の印刷装置。
【請求項１４】
前記電力制御手段は、前記電源スイッチが操作されてから第２所定時間が経過したことに従って、前記印刷装置をオフ状態に移行させる、ことを特徴とする請求項１乃至１３の何れか１項に記載の印刷装置。
【請求項１５】
前記電源スイッチは、ユーザの操作に従ってオン状態又はオフ状態になるスイッチである、ことを特徴とする請求項１乃至１４の何れか１項に記載の印刷装置。
【請求項１６】
電源スイッチが操作されたことに従ってサスペンド状態又はハイバネーション状態に移行可能な印刷装置であって、
前記電源スイッチが操作された後であって、前記印刷装置が前記サスペンド状態又は前記ハイバネーション状態に移行する前に、前記印刷装置が保持する印刷ジョブを終了する制御手段と、
前記制御手段によって前記印刷ジョブが終了された後に、前記印刷装置を、前記サスペンド状態又は前記ハイバネーション状態に移行させる電力制御手段と、
を有することを特徴とする印刷装置。
【請求項１７】
前記制御手段は、前記電源スイッチが操作されたことに基づいて、前記印刷装置が保持する実行中の印刷ジョブを終了する、ことを特徴とする請求項１６に記載の印刷装置。
【請求項１８】
前記制御手段は、前記電源スイッチが操作されたことに基づいて、前記印刷装置が保持する待機中の印刷ジョブを終了する、ことを特徴とする請求項１６に記載の印刷装置。
【請求項１９】
前記電力制御手段は、第１所定時間内に前記印刷ジョブが終了しない場合、前記印刷装置をオフ状態に移行する、ことを特徴とする請求項１６乃至１８の何れか１項に記載の印刷装置。
【請求項２０】
前記制御手段は、前記オフ状態に移行する前に、前記印刷装置のシャットダウン処理を行う、ことを特徴とする請求項１９に記載の印刷装置。
【請求項２１】
揮発性の記憶手段をさらに備え、
前記制御手段は、前記サスペンド状態に移行する前に、前記揮発性の記憶手段に前記印刷装置の状態を示す情報を記憶する、ことを特徴とする請求項１６乃至２０の何れか１項に記載の印刷装置。
【請求項２２】
不揮発性の記憶手段をさらに備え、
前記制御手段は、前記ハイバネーション状態に移行する前に、前記不揮発性の記憶手段に前記印刷装置の状態を示す情報を記憶する、ことを特徴とする請求項１６乃至２０の何れか１項に記載の印刷装置。
【請求項２３】
前記制御手段は、前記サスペンド状態又は前記ハイバネーション状態で前記電源スイッチが操作されたことに基づいて、レジューム処理を実行する、ことを特徴とする請求項１６乃至２２の何れか１項に記載の印刷装置。
【請求項２４】
前記制御手段は、前記オフ状態で前記電源スイッチが操作されたことに基づいて、ブート処理を実行する、ことを特徴とする請求項２１又は２２に記載の印刷装置。
【請求項２５】
前記ブート処理を実行する前に、少なくとも前記記憶手段をリセットするリセット手段をさらに備える、ことを特徴とする請求項２４に記載の印刷装置。
【請求項２６】
前記制御手段は、前記電源スイッチが操作されたことに基づいて、新規のジョブの受け付けを停止する、ことを特徴とする請求項１６乃至２５の何れか１項に記載の印刷装置。
【請求項２７】
前記電力制御手段は、前記電源スイッチが操作されてから第２所定時間が経過したことに従って、前記印刷装置をオフ状態に移行させる、ことを特徴とする請求項１６乃至２６の何れか１項に記載の印刷装置。
【請求項２８】
制御手段と、前記制御手段が実行するプログラムを記憶する揮発性の記憶手段と、を備え、電源スイッチが操作されたことに基づいて前記記憶手段には電力が供給されるが前記制御手段には電力が供給されない省電力状態に移行する印刷装置の制御方法であって、
前記電源スイッチが操作されたことに基づいて、前記印刷装置が保持する印刷ジョブを終了するステップと、
前記印刷ジョブが終了された後に、前記印刷装置を、前記省電力状態に移行させるステップと、
を有することを特徴とする制御方法。
【請求項２９】
電源スイッチが操作されたことに従ってサスペンド状態又はハイバネーション状態に移行可能な印刷装置の制御方法であって、
前記電源スイッチが操作された後であって、前記印刷装置が前記サスペンド状態又は前記ハイバネーション状態に移行する前に、前記印刷装置が保持する印刷ジョブを終了するステップと、
前記印刷ジョブが終了された後に、前記印刷装置を、前記サスペンド状態又は前記ハイバネーション状態に移行させるステップと、
を有することを特徴とする制御方法。
【手続補正２】
【補正対象書類名】明細書
【補正対象項目名】００１１
【補正方法】変更
【補正の内容】
【００１１】
本発明は、印刷装置であって、電源スイッチと、揮発性の記憶手段と、前記電源スイッチが操作されたことに基づいて、前記印刷装置が保持する印刷ジョブを終了する制御手段と、前記制御手段によって前記印刷ジョブが終了された後に、前記印刷装置を、前記記憶手段に電力が供給されるが前記制御手段には電力が供給されない第１の電力状態に移行させる電力制御手段と、を有することを特徴とする。
【手続補正３】
【補正対象書類名】明細書
【補正対象項目名】発明の名称
【補正方法】変更
【補正の内容】
【発明の名称】印刷装置及びその制御方法
【手続補正４】
【補正対象書類名】明細書
【補正対象項目名】０００１
【補正方法】変更
【補正の内容】
【０００１】
本発明は、電源スイッチがオフ操作された場合に高速起動が可能な状態に移行可能な印刷装置及びその制御方法に関する。